(57)【要約】【課題】  各ＬＥＤヘッドでの書込みによる濃度のばらつきを抑えることができ、安定した画像が形成できる画像形成装置の提供を目的とする。【解決手段】  トナー像を担持する像担持体１と、前記像担持体１上に静電潜像を形成する複数個のＬＥＤヘッド３１を備えた画像書込み装置３と、該画像書込み装置３によって形成された静電潜像を現像剤で現像する現像装置４と、前記複数個のＬＥＤヘッド３１の点灯・消灯を制御する点灯制御手段２４と、前記像担持体１に各ＬＥＤヘッド毎のパッチを作成するパッチ作成制御手段２３と、該パッチ作成制御手段２３によって作成されたパッチの濃度を検出する、濃度検出手段２５と、前記ＬＥＤヘッドの光量を、前記濃度検出手段によって検出された値によって補正する補正制御手段２６と、を有することを特徴としている。【選択図】図１
2005170032.tif 000002
【特許請求の範囲】
【請求項１】
トナー像を担持する像担持体と、
ＬＥＤ素子を複数有し、前記像担持体上に静電潜像を形成する、少なくとも２つのＬＥＤヘッドと、
前記静電潜像を現像剤で現像する現像手段と、
前記各々のＬＥＤヘッド及び前記現像手段を用いて、前記像担持体上にパッチを形成するパッチ作成制御手段と、
前記パッチの濃度を検出する、濃度検出手段と、
前記ＬＥＤヘッドのうちの少なくとも１つの光量を前記濃度検出手段により検出されたパッチ濃度に応じて補正する補正手段と、
を有することを特徴とする画像形成装置。
【請求項２】
前記画像形成装置の電源を投入した時に、前記パッチ作成制御手段によるパッチ作成と、前記濃度検出手段によるパッチの濃度検出と、前記補正制御手段によるＬＥＤヘッドの光量補正と、を行うことを特徴とする請求項１に記載の画像形成装置。
【請求項３】
前記画像形成装置によるジョブの終了後に、前記パッチ作成制御手段によるパッチ作成と、前記濃度検出手段によるパッチの濃度検出と、前記補正制御手段によるＬＥＤヘッドの光量補正と、を行うことを特徴とする請求項１又は２に記載の画像形成装置。
【請求項４】
前記画像形成装置は操作部と、
該操作部から、前記補正制御手段によるＬＥＤヘッドの光量補正を行うタイミングを設定するタイミング設定手段と、
を有することを特徴とする請求項１から３のいずれかに記載の画像形成装置。
【請求項５】
前記画像形成装置は、４色の現像手段を有することを特徴とする請求項１から４のいずれかに記載の画像形成装置。
【請求項６】
同一色の前記現像手段に対応して、前記ＬＥＤヘッドを複数個有することを特徴とする請求項５記載の画像形成装置。
【請求項７】
前記補正制御手段は、前記パッチの検出結果に基づき、前記ＬＥＤヘッドに供給する電流値を補正することを特徴とする請求項１から６のいずれかに記載の画像形成装置。
【請求項８】
前記補正制御手段は、少なくとも２つの前記ＬＥＤヘッドのうち、第１のＬＥＤヘッドにより形成されたパッチの濃度と、第２のＬＥＤヘッドにより形成されたパッチの濃度との差分を算出し、この差分に基づき、いずれかのＬＥＤヘッドの補正を行うことを特徴とする請求項１から７のいずれかに記載の画像形成装置。
【請求項９】
ＬＥＤ素子を複数具備し、像担持体上に静電潜像を形成する少なくとも２つのＬＥＤヘッドを有する画像形成装置の光量補正方法であって、
前記各々のＬＥＤヘッドと前記静電潜像を現像する現像手段とを用いて、前記像担持体上にパッチを形成し、前記パッチの濃度を検出し、
検出されたパッチ濃度に応じて前記ＬＥＤヘッドの光量を補正することを特徴とする光量補正方法。
【請求項１０】
前記画像形成装置の電源を投入したときに、前記ＬＥＤヘッドの光量補正を行うことを特徴とする請求項９記載の光量補正方法。
【請求項１１】
前記画像形成装置によるジョブの終了後に、前記ＬＥＤヘッドの光量補正を行うことを特徴とする請求項９又は１０記載の光量補正方法。
【請求項１２】
前記光量補正方法は、前記ＬＥＤヘッドの光量補正を行うタイミングを設定可能であることを特徴とする請求項９から１１のいずれかに記載の光量補正方法。
【請求項１３】
前記画像形成装置は、４色の現像手段を有し、前記ＬＥＤヘッドが各色毎に設けられていることを特徴とする請求項９から１２のいずれかに記載の光量補正方法。
【請求項１４】
同一色の前記現像手段に対応して、前記ＬＥＤヘッドを複数個有することを特徴とする請求項１３記載の光量補正方法。
【請求項１５】
像担持体と、
ＬＥＤ素子を複数有し、前記像担持体上に静電潜像を形成する少なくとも２つのＬＥＤヘッドと、
前記各々のＬＥＤヘッドの光量を検出する光量検出手段と、
前記ＬＥＤヘッドのうちの少なくとも１つの光量を前記光量検出手段により検知されたＬＥＤヘッドの光量に応じて補正する補正制御手段と、
を有する画像形成装置。
【請求項１６】
前記補正制御手段は、前記画像形成装置の電源を投入した時に、前記ＬＥＤヘッドの光量補正を行うことを特徴とする請求項１５記載の画像形成装置。
【請求項１７】
前記補正制御手段は、前記画像形成装置によるジョブの終了後に、前記ＬＥＤヘッドの光量補正を行うことを特徴とする請求項１５又は１６記載の画像形成装置。
【請求項１８】
前記画像形成装置は操作部と、
該操作部から、前記補正制御手段によるＬＥＤヘッドの光量補正を行うタイミングを設定するタイミング設定手段と、
を有することを特徴とする請求項１５から１７のいずれかに記載の画像形成装置。
【請求項１９】
前記補正制御手段は、少なくとも２つの前記ＬＥＤヘッドのうち、第１のＬＥＤヘッドにより検出された光量と第２のＬＥＤヘッドにより検出された光量との差分を算出し、この差分に基づき、いずれかのＬＥＤヘッドの光量を補正することを特徴とする請求項１５から１８のいずれかに記載の画像形成装置。
【発明の詳細な説明】
【技術分野】
【０００１】
本発明は複数のＬＥＤヘッドを有する画像形成装置において、各ＬＥＤヘッド間での光量のバラツキをなくし、安定した画像を得ることが可能な画像形成装置に関する。
【背景技術】
【０００２】
従来から画像書込み装置として、複数のＬＥＤ素子を主走査方向へライン状に並べたＬＥＤヘッドを用いる画像形成装置がある。そのような画像形成装置のうち、画像形成の高速化やＬＥＤヘッドに用いたＬＥＤ素子の長寿命化を図るためにＬＥＤヘッドを複数個用い、１ライン毎又は１ページ毎等に、使用するＬＥＤヘッドを切り替える物がある。複数のＬＥＤヘッドを使用する画像形成装置の場合、各ＬＥＤヘッドの光量が不揃いの状態のままだと、形成された画像に濃度の濃いところと薄いところといった、ムラができてしまう。
【０００３】
一方、複数のＬＥＤヘッドを用いた画像形成装置として、特許文献１に示すような物が知られている。これは、複数のＬＥＤヘッドを１ライン形成する毎に切り換えて画像を形成するというものである。これによって、ＬＥＤ素子のドット径の違いが原因の白スジや黒スジを目立たなくすることができる。
【特許文献１】特開２０００−７１５０８号公報  （段落００５０  図８）
【発明の開示】
【発明が解決しようとする課題】
【０００４】
この従来技術では、白スジ・黒スジを目立たなくすることはできるが、各ＬＥＤヘッドの光量を揃えるものではないため、形成された画像には各ヘッドの光量差による濃淡のムラができる場合がある。
【０００５】
つまり、従来技術は、各ＬＥＤヘッドでの書込みによる濃度のばらつきを抑えるものではない。
【０００６】
そこで本発明は、各ＬＥＤヘッドでの書込みによる濃度のばらつきを抑えることができ、安定した画像が形成できる画像形成装置及び、画像形成装置による光量補正方法の提供を目的としている。
【課題を解決するための手段】
【０００７】
上記目的を達成するために、請求項１記載の画像形成装置は、トナー像を担持する像担持体と、ＬＥＤ素子を複数有し、前記像担持体上に静電潜像を形成する、少なくとも２つのＬＥＤヘッドと、前記静電潜像を現像剤で現像する現像手段と、前記各々のＬＥＤヘッド及び前記現像手段を用いて、前記像担持体上にパッチを形成するパッチ作成制御手段と、前記パッチの濃度を検出する、濃度検出手段と、前記ＬＥＤヘッドのうちの少なくとも１つの光量を前記濃度検出手段により検出されたパッチ濃度に応じて補正する補正手段と、を有することを特徴としている。
【０００８】
請求項２に記載の画像形成装置は、前記画像形成装置の電源を投入した時に、前記パッチ作成制御手段によるパッチ作成と、前記濃度検出手段によるパッチの濃度検出と、前記補正制御手段によるＬＥＤヘッドの光量補正と、を行うことを特徴としている。
【０００９】
請求項３に記載の画像形成装置は、前記画像形成装置によるジョブの終了後に、前記パッチ作成制御手段によるパッチ作成と、前記濃度検出手段によるパッチの濃度検出と、前記補正制御手段によるＬＥＤヘッドの光量補正と、を行うことを特徴としている。
【００１０】
請求項４に記載の画像形成装置は、前記画像形成装置は操作部と、該操作部から、前記補正制御手段によるＬＥＤヘッドの光量補正を行うタイミングを設定するタイミング設定手段と、を有することを特徴としている。
【００１１】
請求項５に記載の画像形成装置は、前記画像形成装置は、４色の現像手段を有することを特徴としており、請求項６記載の画像形成装置は、同一色の前記現像手段に対応して、前記ＬＥＤヘッドを複数個有することを特徴としている。
【００１２】
請求項８記載の画像形成装置は、前記補正制御手段は、前記パッチの検出結果に基づき、前記ＬＥＤヘッドに供給する電流値を補正することを特徴としている。
【００１３】
請求項９記載の光量補正方法は、ＬＥＤ素子を複数具備し、像担持体上に静電潜像を形成する少なくとも２つのＬＥＤヘッドを有する画像形成装置の光量補正方法であって、前記各々のＬＥＤヘッドと前記静電潜像を現像する現像手段とを用いて、前記像担持体上にパッチを形成し、前記パッチの濃度を検出し、検出されたパッチ濃度に応じて前記ＬＥＤヘッドの光量を補正することを特徴としている。
【００１４】
請求項１０に記載の光量補正方法は、前記画像形成装置の電源を投入したときに、前記ＬＥＤヘッドの光量補正を行うことを特徴としており、請求項１１に記載の光量補正方法は、前記画像形成装置によるジョブの終了後に、前記ＬＥＤヘッドの光量補正を行うことを特徴としている。
【００１５】
請求項１２に記載の光量補正方法は、前記光量補正方法は、前記ＬＥＤヘッドの光量補正を行うタイミングを設定可能であることを特徴としている。
【００１６】
請求項１３に記載の光量補正方法は、前記画像形成装置は、４色の現像手段を有し、前記ＬＥＤヘッドが各色毎に設けられていることを特徴としている。
【００１７】
請求項１４記載の光量補正方法は、同一色の前記現像手段に対応して、前記ＬＥＤヘッドを複数個有することを特徴としている。
【００１８】
請求項１５に記載の画像形成装置は、像担持体と、ＬＥＤ素子を複数有し、前記像担持体上に静電潜像を形成する少なくとも２つのＬＥＤヘッドと、前記各々のＬＥＤヘッドの光量を検出する光量検出手段と、前記ＬＥＤヘッドのうちの少なくとも１つの光量を前記光量検出手段により検知されたＬＥＤヘッドの光量に応じて補正する補正制御手段と、を有することを特徴としている。
【００１９】
請求項１６記載の画像形成装置は、前記補正制御手段は、前記画像形成装置の電源を投入した時に、前記ＬＥＤヘッドの光量補正を行うことを特徴としており、請求項１７記載の画像形成装置は、前記補正制御手段は、前記画像形成装置によるジョブの終了後に、前記ＬＥＤヘッドの光量補正を行うことを特徴としている。
【００２０】
請求項１８に記載の画像形成装置は、前記画像形成装置は操作部と、該操作部から、前記補正制御手段によるＬＥＤヘッドの光量補正を行うタイミングを設定するタイミング設定手段と、を有することを特徴としている。
【００２１】
請求項１９に記載の画像形成装置は、前記補正制御手段は、少なくとも２つの前記ＬＥＤヘッドのうち、第１のＬＥＤヘッドにより検出された光量と第２のＬＥＤヘッドにより検出された光量との差分を算出し、この差分に基づき、いずれかのＬＥＤヘッドの光量を補正することを特徴としている。
【発明の効果】
【００２２】
請求項１に記載の画像形成装置は、像担持体・複数のＬＥＤヘッドを有する画像書込み装置・現像装置・パッチ作成制御手段・濃度検出手段・補正制御手段を有している。パッチ作成制御手段は画像書込み装置が有するＬＥＤヘッドの中から光量補正が行われていないものを１つ選択し、像担持体に光量を測定するためのトナー像の静電潜像を形成する。現像装置はその静電潜像を現像剤で現像してトナー像を形成する。濃度検出手段は、像担持体に形成された前記トナー像の濃度を検出し、補正制御手段が検出された濃度に応じて当該ＬＥＤヘッドの光量を補正する。以上の処理を複数あるＬＥＤヘッド全てに対して行う。これによって画像書込み装置が有する全てのＬＥＤヘッドの光量が揃うことになり、形成する画像の濃度ムラ等の異常を防止することができる。
【００２３】
請求項２に記載の画像形成装置は、画像形成装置の電源を投入した時に、上記のようなＬＥＤヘッドの光量補正処理を行う。これによって、画像形成装置を使用する前にＬＥＤヘッドの光量が揃うことになり、異常画像の形成が防止できる。
【００２４】
請求項３に記載の画像形成装置は、上記のＬＥＤヘッドの光量補正処理を、画像形成の単位であるジョブの終了後に行うことで、常に一定の品質で画像形成ができる。
【００２５】
請求項４に記載の画像形成装置は、ユーザが画像形成装置を操作するための操作部を有し、操作部からＬＥＤヘッドの光量補正処理を行うタイミングを設定する。設定された情報は、タイミング設定手段によってパッチ作成制御手段に渡され、パッチ作成制御手段はこの情報を基に、光量補正処理を行うタイミングを判断する。これによってユーザは好みのタイミングでＬＥＤヘッドの光量補正処理を実行することができるようになる。
【００２６】
さらに、本発明の光量補正方法は、ＬＥＤ素子を複数具備した少なくとも２つのＬＥＤヘッドと、静電潜像を現像する現像手段とを用いて、前記像担持体上にパッチを形成し、前記パッチの濃度を検出し、検出されたパッチ濃度に応じて前記ＬＥＤヘッドの光量を補正するものである。これによって、複数あるＬＥＤヘッドの光量が全て揃うことになり、形成する画像の濃度ムラを防止できる。
【００２７】
さらに、本発明の画像形成装置は、像担持体と、少なくとも２つのＬＥＤヘッドと、光量検出手段と、補正制御手段とを有している。光量検出手段は、ＬＥＤヘッドの光量を検出し、補正制御手段は、ＬＥＤヘッドのうちの少なくとも１つの光量を光量検出手段により検知されたＬＥＤヘッドの光量に応じて補正する。これによりトナー像によるパッチを形成することなく光量の補正が可能となる。
【発明を実施するための最良の形態】
【００２８】
第１の実施の形態を説明する。
図１は、本発明の画像形成装置の構成図である。本発明の画像形成装置は、回転体であるドラム状の像担持体１の周囲に、帯電装置２、画像書込み装置３、現像手段である現像装置４、転写装置５及びクリーニング装置６を配置してある。画像形成装置は、帯電装置２によって像担持体１の表面に一様に帯電を行った後に、画像書込み装置３によって原稿から読み取られた画像データに基づく露光走査を行って静電潜像を形成し、現像装置４により反転現像して像担持体１の表面にトナー像を形成する。なお、像担持体１はトナー像を担持できるものであればよく、ベルト状でもよい。
【００２９】
一方、画像形成装置の中段に配置された給紙カセット１０ａ，１０ｂ、下段に配置された大容量給紙カセット１０ｃ及び、側方に配置された手差し給紙トレイ１０ｄ等から給紙された転写紙Ｓは、レジストローラ７を経由して転写位置へ送られる。転写位置において転写装置５により前記トナー像が転写紙Ｓ上に転写され、引き続き定着装置８により加熱定着され、排紙ローラ９ａにより排出される。
【００３０】
転写紙Ｓの両面に画像形成を行う場合には、定着装置８により加熱定着された転写紙Ｓを搬送路切替板９ｂにより通常の排紙通路から分岐し、反転搬送部９ｃにおいてスイッチバックして表裏反転した後、再び転写装置５上を通過して転写紙Ｓの裏面に画像を形成し、定着装置８を経て、排紙ローラ９ａにより画像形成装置外に排出される。一方、像担持体１の画像処理後の表面は、クリーニング装置６により表面に残留している現像剤が除去され、次の画像形成に備える。
【００３１】
図１では、画像書込み装置３は２個のＬＥＤヘッド３１，３１を有している。しかし、本発明は、１つの像担持体１に対して複数のＬＥＤヘッド３１を有する画像形成装置であれば適用可能であり、２個に限定するものではない。複数個のＬＥＤヘッド３１は、１ライン毎又は１ページ毎といった一定のタイミングで切り換えて使用される。それぞれのＬＥＤヘッド３１は、当該ＬＥＤヘッド３１内のＬＥＤ素子の光量が同じになるように、あらかじめ補正がされている。
【００３２】
図２は本実施の形態の画像形成装置のブロック図である。像担持体１及び画像書込み装置３等の各装置は、全体制御部２０によって駆動制御が行われている。操作部２１は、画像形成枚数や画像形成を開始するボタン等のハードキー部と、設定内容の表示や画像形成モードの設定等を行うタッチパネル部とから構成されている。
【００３３】
像担持体１には、画像書込み装置３及び現像装置４によって形成されたトナー像の濃度を検出するセンサ２２がある。センサ２２は現像装置４と転写装置５との間に、像担持体１の表面に検出部を向けて取り付けられている。
【００３４】
図３は、像担持体とＬＥＤヘッドの側面図である。図に示すように、ＬＥＤヘッド３１の長手方向が主走査方向となるように配置されている。いいかえると、像担持体１の移動方向と直交する方向に配置されている。像担持体１は中央部分が画像形成領域１ａで、その両脇に画像が形成されない領域１ｂがある。ＬＥＤヘッド３１は画像形成領域１ａの長さより長くなっている。センサ２２は、画像形成領域１ａに形成されたトナー像の濃度を検出可能な位置に取り付けられている。センサ２２としては、反射素子、受光素子の１対からなるセンサ等を用いることができる。
【００３５】
パッチ作成制御手段２３は、像担持体１の表面のうち、少なくともセンサ２２が検出可能な場所に、パッチと呼ばれる塗りつぶし画像を形成する。例えば図３のパッチ１ｃのように、センサ２２よりも大きな幅で、矩形に形成してもよいし、像担持体１の全周にわたって形成してもよい。
【００３６】
図２に戻り、点灯制御手段２４は、パッチ作成制御手段２３から送られてくるパッチデータ又は、原稿を読み取って得られた画像データを基に、ＬＥＤヘッド３１，３１のＬＥＤ素子の点灯・消灯を制御するものである。なお、作成するパッチは、検出性をよくするため、最高濃度に対応する画像信号をＬＥＤヘッド３１にそれぞれ与え、黒トナーを用いて作成することが好ましい。
【００３７】
パッチ作成制御手段２３及び点灯制御手段２４によって像担持体１に静電潜像として作成されたパッチ１ｃは、現像装置４によりパッチトナー像となる。
【００３８】
濃度検出手段２５は、センサ２２からの濃度信号を濃度を表す数値に変換する。濃度を表す数値はセンサ２２の性能等によって変わるが、濃度を０から２５５の２５６段階で表し、数値が大きくなるほど濃いことを表すセンサ等がある。補正制御手段２６は濃度検出手段２５から得られたパッチ１ｃの濃度を表す数値を基に、ＬＥＤヘッド３１の光量を補正する。
【００３９】
図４は補正制御手段が使用する濃度値と補正値の対応表である。この表は画像形成装置内の図示しない記憶装置に格納されている。図中の「濃度値」は濃度検出手段２５から得られる数値である。例えばｎが２５６とした場合、Ｄ１から順に０，１，２といった数値が格納され、最後の要素であるＤ２５６には２５５という値が格納される。数字は、大きいほど濃度が高いことを示している。表中の「補正値」には、それぞれの濃度値に対応して、ＬＥＤヘッド３１，３１の光量を補正して一定値にするために必要な電流値が格納されている。なお、本実施の形態では、像担持体１上のＬＥＤヘッド３１，３１により光が照射された部分にトナー像が付着するタイプを採用している。よって、濃度値の大きさは、ＬＥＤヘッド３１より照射される光量の大きさを示していることになる。
【００４０】
濃度値の欄には、０から２５５までの数値を格納する変わりに、Ｄ１に５、Ｄ２に１０といった具合に数値を順番に格納しておき、濃度検出手段２５から得られた値が５以下である場合には、表中のＤ１に対応する補正値Ｐ１を使用するといったかたちにしてもよい。また、補正値には、ＬＥＤヘッド３１の電流値の代わりに、ＬＥＤヘッド３１の点灯時間を格納してもよい。
【００４１】
ＬＥＤヘッド３１，３１の光量補正処理は、画像形成処理を行っていない時に実行される。具体的には、画像形成装置の副電源を投入した直後や、ジョブと呼ばれる一連の画像形成処理の後であり、かつ次のジョブが開始される前等がある。また、副電源投入時やジョブとジョブの間に毎回実行するのではなく、週一回又は月一回といった一定の期間が経過した後に実行するようにしてもよい。このような実行タイミングは、操作部からユーザが設定できるようにすると、画像形成装置の利用頻度等によって適切なタイミングで光量補正処理を実行することができるため便利である。
【００４２】
図２に示したタイミング設定手段２７は、ユーザが操作部２１から入力した光量補正処理の実行タイミング情報を受け取り、その情報をパッチ作成制御手段２３へ通知する。パッチ作成制御手段２３は、タイミング設定手段２７から得られた実行タイミング情報を参照し、光量補正処理を実行するタイミングであれば光量補正処理を実行する。例えば、ユーザがジョブとジョブの間に毎回実行する設定を行った場合、パッチ作成制御手段２３は、現在ジョブの実行中かどうかを判断して、ジョブが実行されていない場合で、かつジョブ終了後の補正処理が実行されていない場合に、光量補正処理を実行することになる。
【００４３】
図５はＬＥＤヘッドの光量を補正する手順を示すフローチャートである。このフローチャートは、パッチ作成制御手段２３が、タイミング設定手段２７からの情報を基に、光量補正を実行するタイミングと判断した場合に実行される。フローチャートが実行されると、パッチ作成制御手段２３が、補正処理が完了していないＬＥＤヘッド３１の中からひとつを選択する（Ｓ０１）。次に点灯制御手段２４はＳ０１で選択されたＬＥＤヘッド３１を使ってパッチ作成制御手段２３からのパッチ１ｃを像担持体１上に形成する（Ｓ０２）。濃度検出手段２５は、センサ２２を用いてパッチ１ｃの濃度を検出し（Ｓ０３）、補正制御手段２６は図４に示した表からＳ０３で検出された濃度値を探しだして対応する補正値を取得する。そして、補正制御手段２６は、その補正値を点灯制御手段２４に設定する（Ｓ０４）。パッチ作成制御手段２３は、全てのＬＥＤヘッド３１に対して補正が終了したかどうかを判断し（Ｓ０５）、まだ補正されていないＬＥＤヘッド３１が存在した場合には、Ｓ０１に戻り同様の処理を繰り返す。全てのＬＥＤヘッド３１に対しての補正処理が完了した後に、通常の画像形成を行うと、点灯制御手段２４はＳ０４で設定された各ＬＥＤヘッド３１毎の補正値に従って当該ＬＥＤヘッド３１に流す電流（又は、ＬＥＤヘッド３１の点灯時間）を制御する。
【００４４】
他の補正の方法として、一方のＬＥＤヘッド３１により得られるパッチ濃度と、他方のＬＥＤヘッド３１によるパッチ濃度の差分を求め、この差分に基づいていずれかのＬＥＤヘッド３１の光量の不足、もしくは、過多を補正することができる。すなわち、相対的にＬＥＤヘッド３１間の光量差をなくすことにより、ＬＥＤヘッド３１間の光量を均一化するものである。ＬＥＤヘッド３１を３本以上用いる場合には、例えば、最も光量の大きいＬＥＤヘッド３１を基準とし、他のＬＥＤヘッド３１について、基準としたＬＥＤヘッド３１との差に応じて補正すればよい。
【００４５】
次に、第２の実施の形態について説明する。
画像形成装置の基本構成は第１の実施の形態と同様である。本実施の形態につき図６を用いて説明する。なお、第１の実施の形態と同様の構成については、同じ符号としている。
【００４６】
本実施の形態においては、ＬＥＤヘッド３１の光量を測定する光量センサ４０をＬＥＤヘッド３１毎に設けている。操作部２１の設定による所定のタイミングで、ＬＥＤヘッド３１の光量をこの光量センサ４０を用いて検出する。なお、測定タイミングは、操作部２１の指定に限らず、所定の期間ごと等、適宜設定しておいてもよい。光量センサ４０による測定値は光量検出手段２８へ入力され、続いて、補正制御手段２６で光量に応じて補正値を算出する。算出された補正値を点灯制御手段２４に設定することで、以降のＬＥＤヘッド３１の光量を補正する。
【００４７】
なお、本発明は、カラー画像形成装置において、各色毎に複数のＬＥＤヘッドを有する機種にも適用可能である。
【図面の簡単な説明】
【００４８】
【図１】本発明の画像形成装置の構成図である。
【図２】本発明の画像形成装置のブロック図である。
【図３】像担持体とＬＥＤヘッドの側面図である。
【図４】補正制御手段が使用する濃度値と補正値の対応表である。
【図５】ＬＥＤヘッドの光量を補正する手順を示すフローチャートである。
【図６】他の実施の形態を示す画像形成装置のブロック図である。
【符号の説明】
【００４９】
１      像担持体
１ｃ    パッチ
４      現像装置
２１    操作部
２３    パッチ作成制御手段
２４    点灯制御手段
２５    濃度検出手段
２６    補正制御手段
２７    タイミング設定手段
３１    ＬＥＤヘッド
【図１】
2005170032.tif 000003
【図２】
2005170032.tif 000004
【図３】
2005170032.tif 000005
【図４】
2005170032.tif 000006
【図５】
2005170032.tif 000007
【図６】
2005170032.tif 000008